【手続補正書】
【提出日】平成30年7月20日(2018.7.20)
【手続補正１】
【補正対象書類名】明細書
【補正対象項目名】００４５
【補正方法】変更
【補正の内容】
【００４５】
図５Ａにおいて、実線は、固定子２１０上の形状を示し、破線は、回転子２２０上の形状を示す。本明細書で用いられているように、「動的面」という用語は、固定子−回転子界面にある固定子面または回転子面のことを指すために用いられる。すなわち、固定子２１０の動的面は、固定子２１０の比較的平坦な背面であり、回転子２２０の動的面は、回転子２２０の比較的平坦な前面である。図５Ａの破線は、回転子２２０の動的面に形成された溝２２２ａ，２２２ｂを表す。図５Ｄは、１つの溝２２２ｂが設けられた平面に沿って取られた断面図であるため、図５Ｄでは、一方の溝２２２ｂのみが完全に示されており、他方の溝２２２ａは示されていないことがわかる。
【手続補正２】
【補正対象書類名】特許請求の範囲
【補正対象項目名】全文
【補正方法】変更
【補正の内容】
【特許請求の範囲】
【請求項１】
デュアルセレクタバルブアセンブリであって、
前面および背面を有する固定子であって、前記背面は、
内側リングに沿って配列された複数の開口部と、
外側リングに沿って配列された複数の開口部と、
前記背面に形成された環状収集溝と、を備える、固定子と、
前記固定子の前記背面と係合するように構成された前面を有する回転子であって、前記回転子は、第１の流体流路および第２の流体流路を有し、前記第１の流体流路は、第１の端部および第２の端部を有し、前記第１の流体流路の前記第１の端部は、前記回転子の回転中心にあり、前記第１の流体流路の前記第２の端部は、前記内側リングに沿った固定子開口部と整列されるように構成され、前記第２の流体流路は、第１の端部および第２の端部を備え、前記第２の流体流路の前記第１の端部は、前記環状収集溝と整列されるように構成され、前記第２の流体流路の前記第２の端部は、前記外側リングに沿った固定子開口部と整列されるように構成されている、回転子と、
を備える、セレクタバルブアセンブリ。
【請求項２】
請求項１に記載のセレクタバルブアセンブリであって、前記第１の流体流路は第１の溝であり、前記第２の流体流路は第２の溝である、セレクタバルブアセンブリ。
【請求項３】
請求項１に記載のセレクタバルブアセンブリであって、前記第１の流体流路は、前記回転子の表面下に伸びる第１の内部通路であり、前記第２の流体流路は、前記回転子の前記表面下に伸びる第２の内部通路である、セレクタバルブアセンブリ。
【請求項４】
請求項３に記載のセレクタバルブアセンブリであって、前記内部通路の各々は、互いに対向して一点で交わることで略Ｖ字形の通路を形成する２つの実質的に線形の通路構成要素を備える、セレクタバルブアセンブリ。
【請求項５】
請求項１に記載のセレクタバルブアセンブリであって、前記第１の流体流路は、前記固定子の前記背面の中央にある開口部から前記内側リングに沿った固定子開口部までの流路を提供する、セレクタバルブアセンブリ。
【請求項６】
請求項１に記載のセレクタバルブアセンブリであって、前記第２の流体流路は、前記外側リングに沿った固定子開口部から前記環状収集溝までの流路を提供する、セレクタバルブアセンブリ。
【請求項７】
請求項１に記載のセレクタバルブアセンブリであって、前記環状収集溝、前記内側リング、および、前記外側リングは、前記固定子の前記背面上の同心円である、セレクタバルブアセンブリ。
【請求項８】
請求項７に記載のセレクタバルブアセンブリであって、前記環状収集溝は、前記内側リングと前記外側リングとの間に配置されている、セレクタバルブアセンブリ。
【請求項９】
請求項７に記載のセレクタバルブアセンブリであって、前記内側リングは、前記環状収集溝と前記外側リングとの間に配置されている、セレクタバルブアセンブリ。
【請求項１０】
請求項１に記載のセレクタバルブアセンブリであって、さらに、
前記固定子の前記前面上の入力ポートから前記固定子の前記背面の中央にある開口部までの通路と、
前記環状収集溝から前記固定子の前記前面上の出力ポートまでの通路と、
を備える、セレクタバルブアセンブリ。
【請求項１１】
請求項２に記載のセレクタバルブアセンブリであって、前記第１および第２の溝は、前記回転子の前記背面に形成されている、セレクタバルブアセンブリ。
【請求項１２】
セレクタバルブアセンブリであって、
前面および背面を有する固定子であって、前記背面は、
内側リングに沿って配列された複数の開口部と、
外側リングに沿って配列された複数の開口部と、
前記背面に形成された環状収集溝と、を備える、固定子と、
前記固定子の前記背面と係合するように構成された前面を有する回転子であって、前記回転子は、第１の内部通路および第２の内部通路を有し、前記第１の内部通路は、第１の端部および第２の端部を有し、前記第１の内部通路の前記第１の端部は、前記回転子の回転中心にあり、前記第１の内部通路の前記第２の端部は、前記内側リングに沿った固定子開口部と整列されるように構成され、前記第２の内部通路は、第１の端部および第２の端部を備え、前記第２の内部通路の前記第１の端部は、前記環状収集溝と整列されるように構成され、前記第２の内部通路の前記第２の端部は、前記外側リングに沿った固定子開口部と整列されるように構成されている、回転子と、
を備える、セレクタバルブアセンブリ。
【請求項１３】
請求項１２に記載のセレクタバルブアセンブリであって、前記内部通路の各々は、互いに対向して一点で交わることで略Ｖ字形の通路を形成する２つの実質的に線形の通路構成要素を備える、セレクタバルブアセンブリ。
【請求項１４】
請求項１２に記載のセレクタバルブアセンブリであって、前記第１の内部通路は、前記固定子の前記背面の中央にある開口部から前記内側リングに沿った固定子開口部までの流路を提供し、前記第２の内部通路は、前記外側リングに沿った固定子開口部から前記環状収集溝までの流路を提供する、セレクタバルブアセンブリ。
【請求項１５】
請求項１２に記載のセレクタバルブアセンブリであって、前記内側リングは、前記環状収集溝と前記外側リングとの間に配置されている、セレクタバルブアセンブリ。
【請求項１６】
セレクタバルブアセンブリであって、
前面および背面を有する固定子であって、前記背面は、
内側リングに沿って配列された複数の開口部と、
外側リングに沿って配列された複数の開口部と、
前記背面に形成された環状収集溝と、を備える、固定子と、
前記固定子の前記背面と係合するように構成された前面を有する回転子であって、前記回転子は、第１の溝および第２の溝を有し、前記第１の溝は、第１の端部および第２の端部を有し、前記第１の溝の前記第１の端部は、前記回転子の回転中心にあり、前記第１の溝の前記第２の端部は、前記内側リングに沿った固定子開口部と整列されるように構成され、前記第２の溝は、第１の端部および第２の端部を備え、前記第２の溝の前記第１の端部は、前記環状収集溝と整列されるように構成され、前記第２の溝の前記第２の端部は、前記外側リングに沿った固定子開口部と整列されるように構成されている、回転子と、
を備える、セレクタバルブアセンブリ。
【請求項１７】
請求項１６に記載のセレクタバルブアセンブリであって、前記第１の溝は、前記固定子の前記背面の中央にある開口部から前記内側リングに沿った固定子開口部までの流路を提供し、前記第２の溝は、前記外側リングに沿った固定子開口部から前記環状収集溝までの流路を提供する、セレクタバルブアセンブリ。
【請求項１８】
請求項１６に記載のセレクタバルブアセンブリであって、前記環状収集溝は、前記内側リングと前記外側リングとの間に配置されている、セレクタバルブアセンブリ。
【請求項１９】
請求項１６に記載のセレクタバルブアセンブリであって、前記第１および第２の溝の各々は、前記回転子の前記背面に形成されている、セレクタバルブアセンブリ。
【請求項２０】
請求項１６に記載のセレクタバルブアセンブリであって、前記第１の溝は、前記固定子の前記背面の中央にある開口部から前記内側リングに沿った固定子開口部までの流路を提供し、前記第２の溝は、前記外側リングに沿った固定子開口部から前記環状収集溝までの流路を提供する、セレクタバルブアセンブリ。